(57)【要約】【課題】省スペースでの輸送及び保管が可能で、迅速かつスムーズな立て掛けやちょっとした鍋蓋の移動が可能な鍋蓋を提供する。【解決手段】鍋蓋は、蓋本体２と、蓋本体２の外側表面２１の外縁部２２近傍に設けられた脚部３とを備える。脚部３の基端３１ａには、該脚部３を蓋本体２に対して外側表面２１から更に外側へ枢動可能にするヒンジ４と、外側表面２１から脚部３の末端３１ｂが外側に所定距離だけ離れた位置で脚部３の枢動を規制するロック機構５とが設けられる。ロック機構５は、脚部３を蓋本体２に対して傾斜させ、かつ、脚部３の末端３１ｂで蓋本体２を立設可能なロック状態に保持する。脚部３がロック状態から蓋本体２の外側表面２１へ戻って接触することを一時的に妨げる、戻り規制部６が設けられ、又は、脚部３には蓋本体２を吊り下げるためのフック７がさらに設けられていることが好ましい。【選択図】図２
0003204801.tif 000002
【実用新案登録請求の範囲】
【請求項１】
蓋本体と、
前記蓋本体の外側表面の外縁部近傍に設けられた脚部と、
を備えた鍋蓋であって、かつ、
前記蓋本体に近い前記脚部の基端側には、該脚部を前記蓋本体に対して前記外側表面から更に外側へ枢動可能にするヒンジと、前記外側表面から前記脚部の末端が外側に所定距離だけ離れた位置で前記脚部の枢動を規制するロック機構と、が設けられ、
前記ロック機構は、前記脚部を前記蓋本体に対して傾斜させ、かつ、前記脚部の前記末端側で前記蓋本体を立設可能なロック状態に保持することを特徴とする鍋蓋。
【請求項２】
前記ロック機構により枢動を規制された前記脚部が前記ロック状態から前記蓋本体の前記外側表面へ戻って接触することを一時的に妨げる、戻り規制部がさらに設けられていることを特徴とする請求項１に記載の鍋蓋。
【請求項３】
前記脚部には前記蓋本体を吊り下げるためのフックがさらに設けられていることを特徴とする請求項１又は２に記載の鍋蓋。
【請求項４】
前記脚部の材料は、ワイヤー状或いは薄板状の金属、又は、ワイヤー状或いは薄板状の樹脂であることを特徴とする請求項１〜３のいずれかに記載の鍋蓋。
【請求項５】
前記ヒンジの材料は、薄板状の金属、又は、樹脂であることを特徴とする請求項１〜４のいずれかに記載の鍋蓋。
【請求項６】
前記フックとして、前記脚部の前記末端の近傍には、貫通孔或いは中空空間、又は、前記末端から水平方向に突出した係止部材が設けられることを特徴とする請求項３〜５のいずれかに記載の鍋蓋。
【考案の詳細な説明】
【技術分野】
【０００１】
本考案は、フライパンや鍋等に載置可能な鍋蓋に関し、特に、鍋蓋をキッチン台やテーブル等に立設・保持可能な脚部を備えた鍋蓋に関する。
【背景技術】
【０００２】
この種の鍋蓋の従来技術として、例えば、特許文献１には、鍋蓋本体を立設するための脚部とハンドルが設けられたフライパン用蓋が開示されている。特許文献１のハンドルは、蓋本体から外側に突出するようにＵ字状に折り曲げられたワイヤー（金属棒）で作られ、その両端が蓋本体に結合されているため、閉じた内部空間を有する。従って、蓋本体を下方に向けてハンドルを上向きに配置すれば、このハンドルを、蓋を壁面等に吊り下げるためのフックとしても使用できる。また、特許文献２に示すように、鍋蓋の取っ手を挟んだまま固定し、そのまま立てかけることができる鍋蓋つまみが開示されている。
【０００３】
特許文献１に開示の蓋は、以上のように、蓋本体を立てたり、壁面等に吊り下げられたりできるといった機能・長所を有するものの、ワイヤー（線条）状の金属からなる脚部とハンドルとが別々に設けられており、リジッド（固定されていて動かしづらく）で非常に嵩張った構造を採用していた。このような嵩張った構造を有する製品は、製造元の工場での梱包費用を増加させるだけでなく、工場から販売店舗への輸送コストをも増加させるものとなっていた。それだけでなく、購入者宅での保管スペースをも奪うものとなっていた。
【０００４】
また、特許文献２に開示の洗濯ばさみ形状を成す鍋蓋つまみでは、蓋本体側の取っ手が本体の中央に設けられていなければ、取っ手を鍋蓋つまみ側のつまみ部で把持・固定することができず、鍋蓋の立設・保持は困難となる。鍋蓋の立て掛け時に都度、把持・固定の確認が必要となるため、迅速かつスムーズな立て掛けやちょっとした鍋蓋の移動も難しい。また、洗濯ばさみ形状の鍋蓋つまみは、吊り下げフックとして機能させることはできない。
【先行技術文献】
【特許文献】
【０００５】
【特許文献１】意匠登録第１２５３４５４号公報
【特許文献２】特開平１０−１２７５０７号公報
【考案の概要】
【考案が解決しようとする課題】
【０００６】
本考案はかかる事情に鑑みてなされたもので、省スペースでの輸送及び保管が可能で、迅速かつスムーズな立て掛けやちょっとした移動が可能な鍋蓋を提供することを目的とする。
【０００７】
また、本考案は、上記目的に加え、壁面等に吊り下げ可能な鍋蓋を提供することを目的とする。
【課題を解決するための手段】
【０００８】
すなわち、本考案は、例えば、次の構成・特徴を採用するものである。
（態様１）
蓋本体と、
前記蓋本体の外側表面の外縁部近傍に設けられた脚部と、
を備えた鍋蓋であって、かつ、
前記蓋本体に近い前記脚部の基端側には、該脚部を前記蓋本体に対して前記外側表面から更に外側へ枢動可能にするヒンジと、前記外側表面から前記脚部の末端が外側に所定距離だけ離れた位置で前記脚部の枢動を規制するロック機構と、が設けられ、
前記ロック機構は、前記脚部を前記蓋本体に対して傾斜させ、かつ、前記脚部の末端側で前記蓋本体を立設可能なロック状態に保持することを特徴とする鍋蓋。
（態様２）
前記ロック機構により枢動を規制された前記脚部が前記ロック状態から前記蓋本体の前記外側表面へ戻って接触することを一時的に妨げる、戻り規制部がさらに設けられていることを特徴とする態様１に記載の鍋蓋。
（態様３）
前記脚部には前記蓋本体を吊り下げるためのフックがさらに設けられていることを特徴とする態様１又は２に記載の鍋蓋。
（態様４）
前記脚部の材料は、ワイヤー状或いは薄板状の金属、又は、ワイヤー状或いは薄板状の樹脂であることを特徴とする態様１〜３のいずれかに記載の鍋蓋。
（態様５）
前記ヒンジの材料は、薄板状の金属、又は、樹脂であることを特徴とする態様１〜４のいずれかに記載の鍋蓋。
（態様６）
前記フックとして、前記脚部の前記末端の近傍には、貫通孔或いは中空空間、又は、前記末端から水平方向に突出した係止部材が設けられることを特徴とする態様３〜５のいずれかに記載の鍋蓋。
【考案の効果】
【０００９】
本考案の鍋蓋は、以上のように蓋本体に対して枢動可能な（折り畳み式の）構造を有する脚部を備えるために、鍋蓋をキッチン台等に立て掛けておくことができるだけでなく、脚部が折り畳み式で嵩張ることが無いため、製造元の工場から販売店舗までの流通過程での輸送コスト削減を実現するとともに、鍋蓋を購入・使用するユーザーの保管時においても省スペース化を図ることもできる。
【００１０】
また、本考案の好適な態様の鍋蓋によれば、以上の構成の戻り規制部を有するために、脚部の末端がロック状態（開脚状態）から外側表面接触状態（閉脚状態）に安易に戻ることが防止され、脚部を蓋本体に対して傾斜させたままの開脚状態を保持することができる。これにより、ユーザーが鍋蓋を立て掛ける際には、蓋本体を片手で持ってこれを立てる動作だけで済み、手指等で脚部に触れていちいち脚部を開く必要がない。従って、鍋蓋の立て掛けが迅速かつスムーズなものとなるし、ちょっと鍋蓋を移動する際も置きやすく、その取扱いが便利なものとなる。
【００１１】
また、本考案の好適な態様の鍋蓋によれば、脚部自体に吊り下げフックを有するために、鍋蓋を余計に嵩張らせることなく、保管・収納することができる。
【００１２】
また、本考案の好適な態様の鍋蓋によれば、以上の構成・素材を採用するため、安価で製造も容易なものとなる。
【図面の簡単な説明】
【００１３】
【図１】実施例１の鍋蓋の斜視図及び側面図を示した図である。
【図２】実施例１の脚部を示した部分拡大斜視図である。
【図３】実施例１の鍋蓋の立て掛け状態及び吊下げ状態を示した図である。
【図４】実施例２の脚部を示した部分拡大斜視図である。
【図５】実施例２の鍋蓋の立て掛け状態を示した斜視図である。
【図６】脚部及びフックの変形例を示した図である。
【考案を実施するための形態】
【００１４】
以下、本考案を図面に示す実施例に基づき説明するが、本考案は、下記の具体的な実施例に何等限定されるものではない。なお、各図において同一又は対応する要素には同一符号を用いる。
【実施例１】
【００１５】
図１〜３は実施例１の鍋蓋１を説明するための図である。特に、図１（ａ）及び（ｂ）は実施例１の鍋蓋１の斜視図及び側面図を示している。図２は、後述するヒンジ４から取り外した状態の脚部３を拡大して示した斜視図である。なお、図２は上述のように脚部３の拡大斜視図であるため、蓋本体２の輪郭や外形については脚部３近傍の一部のみが描画されている。図３（ａ）は、実施例１の鍋蓋１を立て掛けた状態を示した斜視図であり、図３（ｂ）は、鍋蓋１の吊下げ状態を示した図である。
【００１６】
本考案の鍋蓋１は、図１に示すように、蓋本体２と、蓋本体２の外側表面２１の外縁部２２近傍に設けられた脚部３とを備える。なお、この実施例１では、外側表面２１の中央には、取っ手２３が設けられているが、取っ手２３の配置や構成は図示の例に限定されない。なお、実施例１の蓋本体２は、鉄、銅、アルミニウムなどの金属製を前提としているが、後述のヒンジ４が接続・固定できれば上記材料に限定されず、例えば、ガラス製でもよく、場合によっては、樹脂製や木製であってもよい。
【００１７】
（実施例１の脚部）
ここで、実施例１では脚部３の材料としてワイヤー状（棒状）の金属（つまり、金属線）を採用するが、これに限定されず、例えば、薄板状の金属板であってもよい。なお、好ましくは、防錆性を有し又は防錆処理された金属線を採用することが好ましい。
【００１８】
（実施例１のヒンジ）
脚部３は、蓋本体２及び後述するヒンジ４の近傍に位置する基端３１ａと、蓋本体２を傾斜させて支持するために蓋本体２から離れてキッチン台（図示せず）等に接触する末端３１ｂとを有した脚３１を備える。さらに、蓋本体２に近い脚部３の基端３１ａ側には、該脚部３（の末端３１ｂ）を蓋本体２に対して外側表面２１から更に外側へ枢動可能にするヒンジ４が設けられる。このヒンジ４は蓋本体２の外側表面２１に溶接その他の方法で接合される。なお、ヒンジ４は、実施例１に示すように、板金（薄板状の金属板）を折り曲げて形成されていることが好ましい。これにより、材料を安価に調達できるだけでなく、製造や加工も容易となる。
【００１９】
（実施例１のヒンジの回転軸）
実施例１では、脚部３は、コの字状（または、上辺が除去されかつ底辺が長い台形状）の輪郭を有しており、上記コの字状の接続部分又は台形状の底辺部分が、実際にキッチン台に接触・着座する脚座３２に相当する。一方、上記コの字状や台形状の張出し部分が、脚部３の脚３１に相当する。この脚３１の基端３１ａでは、脚３１の先端は、同一軸Ａに沿って互いに対向しながら近づくように基端３１ａから内側に折り曲げられる。これらの先端の折曲げ部分３３，３３がヒンジ４のヒンジ孔４１，４１に挿通されて枢軸（回転軸）Ａを構成する。具体的には、ヒンジ４は、ヒンジ基板４２の裏面で蓋本体２の外側表面２１に接合されており、ヒンジ基板４２の左右両端から垂直に側壁４３，４３が立ち上がっている。これらの側壁４３，４３の互いに対向する位置にヒンジ孔４１，４１が枢軸Ａを通すように設けられている。
【００２０】
これにより、脚部３は基端３１ａを基に枢動（回転）自在となるが、脚部３とヒンジ４の近傍には蓋本体２の外側表面２１が存在するため、脚部３の末端３１ｂは、外側表面２１に接触した状態から更に外側へのみ枢動可能となる。
【００２１】
（実施例１のロック機構）
さらに、実施例１では、上述した脚部３の枢動を規制するロック機構５が設けられる。具体的には、ロック機構５は、蓋本体２の外側表面２１から脚部３が外側に所定距離だけ離れた位置で脚部３の枢動を規制（制止）する。実施例１の一例では、ヒンジ４の側壁４３，４３の上端（特に、上端でも蓋本体２の中心に近い側）から左右方向外側へ突出した水平突出部がロック機構５としての役割を果たす。このようなロック機構５により、脚部３は、蓋本体２に対して外側に所定距離だけ離れるように傾斜するようになり、脚部３の末端３１ｂ及び脚座３２でもって蓋本体２を支持・立設可能なロック状態（開脚状態）に保持される。
【００２２】
（実施例１の戻り規制部）
加えて、本考案の鍋蓋１は、ロック機構５により枢動（更に外側への回転）を規制された脚部３が、該ロック状態から蓋本体２の外側表面２１へ逆（反対の回転方向）に戻って接触することを一時的に妨げる、戻り規制部６がさらに設けられていることが好ましい。実施例１の一例では、ヒンジ４の側壁４３，４３（特に、蓋本体２の外縁部２２に近い側）に、側壁４３，４３の左右方向外側へ膨らんだ戻り規制部としての膨出部６が設けられている。ユーザーは、脚部３を蓋本体２の外側表面２１に接触した状態から、ロック機構５により規制されたロック状態に移動（枢動）する間に、金属ワイヤー状の脚部３の基端３１ａ近傍部分は、左右に広がる方向へ弾性変形することで戻り規制部６を通過する（つまり、乗り越える）。
【００２３】
従って、ロック機構５により、蓋本体２に対する脚部３の傾斜角（枢動角）θが更に増大することが無く（図１（ｂ）を参照）、一方、戻り規制部６により、脚部３の傾斜角θが減少することも無くなる。従って、脚部３をロック機構５に当接するまで手動で枢動して、一旦、脚部３をロック状態に設定すれば、手を放して脚部３が自重を受けたとしても、戻り規制部６によって蓋本体２の外側表面２１に戻ることが阻止されるため、脚部３のロック状態（傾斜した開脚状態）が継続して保持される。但し、外側表面２１に戻る方向にそれ（自重）以上に大きな力が掛かれば、脚部３の基端３１ａは弾性変形するので、脚部３は、戻り規制部としての膨出部６を乗り越えて、最終的には蓋本体２の外側表面２１に戻ることができる。
【００２４】
以上の構成の戻り規制部６を設けることで、脚部３が一時的にロック状態（傾斜した開脚状態）を保持できるので、ユーザーは、鍋蓋１を立て掛ける際に、脚部３を触って絶えず所望の状態に支える等の気遣いは不要となる。また、立設した鍋蓋１を少しだけ移動したい状況が発生したとしても、脚部３は閉鎖状態（閉脚状態）に戻りにくいので、ユーザーは、脚部３を一切操作せずとも（例えば、蓋本体２のいずれかの部分を無造作に片手で把持したままでも）、立った状態の鍋蓋１を倒さずに、そのままスライド移動させるようなことも可能となり、非常に便利で扱い易い商品となる。
【００２５】
また、脚部３には蓋本体２を吊り下げるためのフック７がさらに設けられていることが好ましい。実施例１の脚部３は、金属ワイヤーをコの字状などの形状に折り曲げた構成であるため、ヒンジ４に接合された脚部３の内側には、脚部３を貫通した空洞（例えば、中空空間や貫通孔）が形成される。この空洞が本考案の鍋蓋１を壁面などに吊り下げるフック７としての役目を果たすようになるのである。具体的には、脚部３（の脚座３２）が上方に向くように鍋蓋１を配向して吊り下げるのであるが、この際、脚部３がロック状態（開脚状態）に当初、保持されていたとしても、最も上側で吊り下げられた脚部３には、脚部３の自重の他に蓋本体２の自重も作用する（加わる）ために、ユーザーが脚部３を操作せずとも、脚部３が蓋本体２の外側表面２１に接触した最もコンパクトな閉脚状態に自動的に戻った後で、鍋蓋１が壁面などに吊り下げられることになる。言い換えれば、蓋本体２がほぼ立てられた状態で吊り下げられるため、保管時に水平方向のスペースを極力省略することができる。
【実施例２】
【００２６】
図４及び５は実施例２の鍋蓋１を説明するための図である。特に、図４（ａ）は、実施例２の脚部３の近傍を拡大して示した斜視図であり、図４（ｂ）は、実施例２の脚部３を裏側（蓋本体２の内側表面２４）から見た図である。なお、図４（ａ）及び（ｂ）は上述のように脚部３の拡大斜視図であるため、蓋本体２の輪郭や外形については脚部３近傍の一部のみが描画されている。図５は、実施例２の鍋蓋１を立て掛けた状態を示した斜視図である。
【００２７】
実施例２では、特に、脚部３及びヒンジ４がともに樹脂製である点が実施例１の場合と異なる点であり、それ以外の点（例えば、蓋本体２の構造など）は実施例１の場合と同様であるため、再度の説明を省略する。
【００２８】
（実施例２の脚部及びフック）
実施例２の脚部３にも、実施例１と同様に、この脚部３を貫通した空洞（フック７）が形成されるため、鍋蓋１を壁面などに吊り下げることができる。実施例２では、脚部３の脚３１の基端３１ａ側にも両方の脚３１，３１を連結する橋部３４が形成されているため、脚部３内にフックとしての空洞７（貫通孔又は中空空間と呼んでもよい。）が区画・形成されている。
【００２９】
（実施例２のヒンジ）
実施例２のヒンジ４は、例えば、図示のように、底面が平らな角筒状を成し、蓋本体２の内側表面２４側からネジによって係留（固定）されていてもよい。このヒンジ４の左右の側面には、脚部３の基端３１ａの更なる外側への枢動（回転）を規制するロック機構としての突出部５が形成されている。
【００３０】
（実施例２の戻り規制部）
また、ヒンジ４の胴部周面上に設けられた凸部６も設けられており、実施例１と同様に、戻り規制部６として機能する。具体的には、脚部３が枢動して橋部３４が弾性変形して凸部６を乗り越えて、ロック状態に移行する。そして、戻り規制部６の存在により、脚部３に自重より大きな力が掛からなければ、橋部３４が凸部６を乗り越えて元の閉脚状態に戻らない。従って、実施例２の鍋蓋１でも、一旦、ロック状態（傾斜した開脚状態）に移行させれば、脚部３を手から放しても、脚部３の傾斜状態が継続して維持されたままの状態となり、鍋蓋１の取扱いや操作が容易となる。
【００３１】
（その他の変形例）
以上、実施例１，２を例に挙げながら、本考案を説明したが、本考案の実質的な創作はこれらに限定されない。例えば、実施例１では、金属ワイヤー等の金属製の脚部３と、板金等の金属製のヒンジ４を用い、実施例２では、樹脂製の脚部３とヒンジ４を用いたが、脚部３とヒンジ４との組み合わせはこれらに限定されない。例えば、一方の部材に金属を用い、他方の部材に樹脂を用いてもよい。
【００３２】
なお、図６（ａ）〜（ｃ）に脚部３やフック７の変形例の概略図を示す。図６の各図に示すように、脚部３の脚３１は一本のみで構成し、脚３１の基端３１ａ中央又は一端から回転軸となる張出し部３３を水平に延ばすように形成してもよい。同様に、脚３１の末端３１ｂ中央又は一端から脚座３２を水平に延ばすように形成したり、脚座３２を球形状または円盤状に形成したりしてもよい。フック７として、脚３１の末端３１ｂの近傍には、貫通孔或いは中空空間、又は、末端３１ｂから水平方向（正面視において左右方向又は前後方向）に突出した係止部材７１が設けてもよい。図６（ａ）では、水平に延びた脚座３２からＬ字状の係止部材７１Ａが形成されている。図６（ｂ）では、コの字又はＵ字状の係止部材７１Ｂが脚座３２の左右方向のいずれかに設けられ、フックとしての貫通孔又は中空空間７を形成する。また、図６（ｃ）では、脚座３２の一端にＪ字状の係止部材７１Ｃが形成される。このように本考案の趣旨を逸脱しない範囲での脚部３やフック７の変形例は、この他にも種々考えられる。
【産業上の利用可能性】
【００３３】
本考案によれば、鍋蓋を容易に立てられるだけでなく、立てたままの移動も簡単に行うことができる。また、脚部が折り畳み式で嵩張ることが無いため、製造元の工場から販売店舗までの流通過程での輸送コスト削減が実現されるとともに、ユーザーの保管に際しても省スペース化を図ることもできる。このように、本考案は、産業上の利用価値及び産業上の利用可能性が非常に高い。
【符号の説明】
【００３４】
１    鍋蓋
２    蓋本体
３    脚部
４    ヒンジ
５    ロック機構
６    戻り規制部（凸部，膨出部）
７    フック
２１    蓋本体の外側表面
２２    蓋本体の外縁部
２３    取っ手
２４    蓋本体の内側表面
３１    脚部の脚
３１ａ，３１ｂ    脚の基端，末端
３２    脚座
３３    張出し部
３４    橋部
４１    ヒンジ孔
４２    ヒンジ基板
４３    ヒンジの側壁
７１，７１Ａ，７１Ｂ，７１Ｃ    係止部材
【図１】
0003204801.tif 000003
【図２】
0003204801.tif 000004
【図３】
0003204801.tif 000005
【図４】
0003204801.tif 000006
【図５】
0003204801.tif 000007
【図６】
0003204801.tif 000008